(57)【要約】【課題】ＳＫＥＷ補正において、高精度な調整を可能とした低コストの光走査装置を提供することを目的とする。【解決手段】溝部９０に治具を挿入して調整部材６８を回動操作することにより、側壁２６Ｃに直交する方向Ｄへスクリュー部７０を進退させて、シリンドリカルミラー（光学部材）４４Ｍの他端側に当接する部材（偏心カム５６）を移動させ、シリンドリカルミラー４４Ｍの他端側を変位させる。この際、調整部材６８のギヤ７２の凹部８８には、板ばね８４の凸部８６が弾性的に進入しているため、凹部８８が凸部８６の対向する位置にくる度に凸部８６が凹部８８に進入してギヤ７２を係止する。したがって、一定量（一定角度）の回転毎に調整部材６８が係止（ラッチ）されることになり、調整部材の回動量を精度良く調節することができる。この結果、走査光のＳＫＥＷ補正も精度良くできる。【選択図】図１
2006259749.tif 000002
【特許請求の範囲】
【請求項１】
被走査体の主走査方向に走査される光ビームを結像させる光学素子と前記被走査体との間に配設されると共に、一端側が支持部材で支持された光学部材と、
回動操作されることにより、前記光学部材の他端側を変位させて光走査線を調整する調整部材と、
回動操作される前記調整部材を所定回動量毎に係止するラッチ機構と、
を備えたことを特徴とする光走査装置。
【請求項２】
前記光学部材の他端側に当接する当接部材を備え、
前記調整部材は、回動操作される操作部と、
前記光学部材が配置される筐体の一部、又は筐体の付加部材に螺合すると共に、前記操作部が回動操作されることによって、前記壁面の一部、又は筐体の付加部材に対して進退して、前記当接部材を移動させ、前記光学部材の他端側を変位させるスクリュー部と、
を備えて構成されていることを特徴とする請求項１に記載の光走査装置。
【請求項３】
前記当接部材が前記光学部材の他端側を変位させる変位量は、前記調整部材の進退量と異なることを特徴とする請求項２に記載の光走査装置。
【請求項４】
前記当接部材が前記光学部材の他端側を変位させる変位量は、前記調整部材の進退量より小さいことを特徴とする請求項３に記載の光走査装置。
【請求項５】
前記調整部材を装置筐体の外部から操作可能としたことを特徴とする請求項１〜４のいずれか１項記載の光走査装置。
【請求項６】
前記ラッチ機構は、前記調整部材に設けられたギヤと、前記ギヤに対向する位置に設けられたラッチ用の板ばねとを備え、
前記ギヤの凹部に前記板ばねの先端が進入して、前記ギヤを係止することにより、前記調整部材を一定量の回動毎に係止することを特徴とする請求項１〜５のいずれか１項記載の光走査装置。
【請求項７】
前記ラッチ機構は、前記調整部材の外周面において回転方向に所定間隔をおいて形成された凸部と、
前記凸部間の凹部に進入して前記調整部材を係止する弾性部材と、
を備え、前記弾性部材と対向する位置に前記凹部が位置する毎に当該凹部に弾性部材が進入して前記調整部材を係止することを特徴とする請求項１〜５のいずれか１項記載の光走査装置。
【請求項８】
外側から調整用孔、ガイド孔、ネジ孔がそれぞれ形成された筐体の３個の壁で構成され、前記壁内に前記調整部材が収納されていることを特徴とする請求項１に記載の光走査装置。
【請求項９】
前記調整用孔が形成された前記筐体の壁には、調整部材の回転量を示す目盛りが形成されていることを特徴とする請求項８に記載の光走査装置。
【発明の詳細な説明】
【技術分野】
【０００１】
本発明は、走査線の位置ずれを補正する機構を備えた光走査装置、さらに、複数の走査線によるカラー画像装置において色ずれを補正する機構を備えた光走査装置に関する。
【背景技術】
【０００２】
カラー画像形成装置の高速化および高解像度化が近年要求されており、小型及び低コストの点からトナー像を形成する四色の各画像形成部を備え、各画像形成部から転写ベルト上に各トナー像を転写して重ね合せ、重ね合わせたトナー像を用紙上に転写するタンデム方式のカラー画像形成装置が採用されている。
【０００３】
このようにトナー像を重ね合せるタンデム方式のカラー画像形成装置では、各画像形成部に照射される各色の走査線のずれによって発生する色ずれが特に問題になっている。
【０００４】
その色ずれの原因の一つである走査線の傾き（ＳＫＥＷ）を補正する従来技術として、モータ制御による偏心カムを使ったＳＫＥＷ補正が特開平９−２６９４５５号公報（以下、従来例１という）に開示されている。
【特許文献１】特開平９−２６９４５５号公報
【発明の開示】
【発明が解決しようとする課題】
【０００５】
しかしながら、従来例１では、偏心カムの初期位置（ホームポジション）を認識しておき、その位置を基準に演算処理を行い、ＳＫＥＷ調整量に基づいて光学部材の移動量を制御するため、画像形成装置の構成及び制御が複雑になる。
【０００６】
また、画像形成装置の小型化とコスト低減を図るためにモータを除去した場合、演算処理が困難なため高精度なマニュアル調整ができない。
【０００７】
さらに、従来技術において演算処理を行わない構成では、偏心カムを用いたスキュー補正は、ほぼ線形関係であるホームポジション近傍での範囲内を移動ストローク（ＳＫＥＷ調整量）とするが、移動ストロークがかなり限定的に（小さく）なってしまう。一方、偏心量を大きくして移動ストローク量を確保しようとすると、偏心カムの回転角度に対する変位量が大きくなってしまい（以下、「調整感度が低下する」という場合がある）、高精度に微調整できないという不都合があった。
【０００８】
このような不都合を解決するために、ＳＫＥＷ補正において、高精度な調整可能とした低コストの光走査装置を提供することを目的とする。
【課題を解決するための手段】
【０００９】
本発明の請求項１に係る光走査装置は、被走査体の主走査方向に走査される光ビームを結像させる光学素子と前記被走査体との間に配設されると共に、一端側が支持部材で支持された光学部材と、回動操作されることにより、前記光学部材の他端側を変位させて光走査線を調整する調整部材と、回動操作される前記調整部材を所定回動量毎に係止するラッチ機構と、を備えたことを特徴とする。
【００１０】
この構成によれば、被走査体の主走査方向に走査される光ビームを結像させる光学素子と前記被走査体との間に配設される光学部材は、一端側が支持部材で支持されている。調整部材が、回動操作されることにより、光学部材の他端側を変位させて光走査線を調整する。
【００１１】
この回動操作される前記調整部材は、ラッチ機構によって、所定回動量毎に係止される
このため、調整部材の回動量を精度良く調節することができる。この結果、走査光のＳＫＥＷ補正も精度良くできる。
【００１２】
本発明の請求項２に係る光走査装置は、請求項１の構成において、前記光学部材の他端側に当接する当接部材を備え、前記調整部材は、回動操作される操作部と、前記光学部材が配置される筐体の壁面に螺合すると共に、前記操作部が回動操作されることによって、前記壁面に直交する方向へ進退して、前記当接部材を移動させ、前記光学部材の他端側を変位させるスクリュー部と、を備えて構成されていることを特徴とする。
【００１３】
この構成によれば、光学部材が配置される筐体の壁面に螺合するスクリュー部が、操作部が回動操作されることによって、壁面に直交する方向へ進退して、光学部材の他端側に当接する当接部材を移動させ、光学部材の他端側を変位させる。
【００１４】
このように、調整部材が筐体の壁面に螺合されており、調整部材の回動に伴って、調整部材が進退して、光学部材の他端側に当接する当接部材を移動させるので、この当接部材の移動量を精度良く制御でき、ＳＫＥＷ補正を良好に行うことができる。また、筐体の壁面に調整部材が螺合しているため、螺合部分から筐体内部に外部の埃等が進入して装置の光学性能を低下させることを防止できる。
【００１５】
本発明の請求項３に係る光走査装置は、請求項２の構成において、前記当接部材が前記光学部材の他端側を変位させる変位量は、前記調整部材の進退量と異なることを特徴とする。
【００１６】
この構成によれば、当接部材が光学部材の他端側を変位させる変位量は、調整部材の進退量と異なる。これにより、ＳＫＥＷ補正の調整感度（調整部材の操作量（進退量）に対する走査光の補正量）を変化させることができる。
【００１７】
本発明の請求項４に係る光走査装置は、請求項３の構成において、前記当接部材が前記光学部材の他端側を変位させる変位量は、前記調整部材の進退量より小さいことを特徴とする。
【００１８】
この構成によれば、当接部材が光学部材の他端側を変位させる変位量は、調整部材の進退量より小さくされている。すなわち、ＳＫＥＷ補正の調整感度（調整部材の操作量（進退量）に対する走査光の補正量）が鈍くされている。これにより、光走査線を微調整することができる。
【００１９】
本発明の請求項５に係る光走査装置は、請求項１〜４のいずれか１項の構成において、前記調整部材を装置筐体の外部から操作可能としたことを特徴とする。
【００２０】
この構成によれば、調整部材を装置筐体の外部から操作できるので、筐体を開放せずに光学部材を調整して光走査線を調整することができる。
【００２１】
本発明の請求項６に係る光走査装置は、請求項１〜５のいずれか１項の構成において、前記ラッチ機構は、前記調整部材に設けられたギヤと、前記ギヤに対向する位置に設けられたラッチ用の板ばねとを備え、前記ギヤの凹部に前記板ばねの先端が進入して、前記ギヤを係止することにより、前記調整部材を一定量の回動毎に係止することを特徴とする。
【００２２】
この構成によれば、調整部材に設けられたギヤ凹部に、ギヤに対向する位置に設けられたラッチ用の板ばねの先端が進入して、ギヤを係止することにより、調整部材を一定量の回動毎に係止する。このため、調整部材の回動量を精度良く調節することができる。この結果、走査光のＳＫＥＷ補正も精度良くできる。
【００２３】
本発明の請求項７に係る光走査装置は、請求項１〜５のいずれか１項の構成において、  前記ラッチ機構は、前記調整部材の外周面において回転方向に所定間隔をおいて形成された凸部と、前記凸部間の凹部に進入して前記調整部材を係止する弾性部材と、を備え、前記弾性部材と対向する位置に前記凹部が位置する毎に当該凹部に弾性部材が進入して前記調整部材を係止することを特徴とする。
【００２４】
この構成によれば、調整部材の外周面には、回転方向に所定間隔をおいて凸部が形成されており、弾性部材の対向する位置に調整部材の凸部間の凹部が位置する毎に弾性部材が凹部に進入して調整部材を係止する。したがって、調整部材は所定回転量毎に係止されることになり、偏心カムの回転量を精度良く制御でき、走査線の補正を精度良く行うことができる。
【００２５】
本発明の請求項８に係る光走査装置は、請求項１の構成において、外側から調整用孔、ガイド孔、ネジ孔がそれぞれ形成された筐体の３個の壁で構成され、前記壁内に前記調整部材が収納されていることを特徴とする。
【００２６】
この構成によれば、調整用孔から治具などを挿入することにより、ガイド孔に支持されている調整部材を回動させることによって、ネジ孔に螺合している調整部材を進退させて偏心カムの係合部を変位させる。この結果、所定量の偏心カムが回転し、光学部材の走査光の傾斜補正が精度良く行われる。また、この三つの壁内に調整部材が収納されているため、外部に調整部材が突出することも防止できる。
【００２７】
本発明の請求項９に係る光走査装置は、請求項８の構成において、前記調整用孔が形成された前記筐体の壁には、調整部材の回転量を示す目盛りが形成されていることを特徴とする。
【００２８】
この構成によれば、調整用孔が形成された筐体の壁には、調整部材の回転量を示す目盛が形成されているため、目盛を目安として調整部材を精度良く所定量回転させることができる。この結果、走査線の調整を精度良く行うことができる。
【００２９】
なお、ＳＫＥＷ補正において、光学部材の所定の移動ストローク量を確保すると共に高精度な調整可能とした低コストの光走査装置としては、以下のように構成することができる。
【００３０】
ＳＫＥＷ補正において、光学部材の所定の移動ストローク量を確保すると共に高精度な調整可能とした低コストの第１光走査装置としては、光ビームを照射する光源と、入射された光ビームを反射して被走査体の主走査方向に走査させる回転多面鏡と、光ビームを結像させる光学素子と、前記光学素子と前記被走査体間に配設された光学部材と、が筐体内部に配設されている光走査装置において、一端側が支持部材で支持された前記光学部材の他端側を外周面によって支持する偏心カムと、前記偏心カムの外周面から径方向に突出形成された係合部と、前記係合部を偏心カムの回転方向に変位させる調整部材と、を備え、前記調整部材を操作することによって前記光学部材の他端側を変位させて光走査線を調整する構成とすることができる。
【００３１】
この構成によれば、一端側が支持部材に支持された光学部材の他端側を偏心カムの外周面で支持することにより、偏心カムの回転によって光学部材の他端側が変位する。これによって光学部材を介して被走査体に照射される走査光の傾斜角度が変化する。この結果、被走査体の所定位置に走査光が走査するように調整できる。
【００３２】
この際、偏心カムの外周面から径方向に突出した係合部が形成されており、調整部材によってこの係合部を偏心カムの回転方向に変位させることによって光学部材の調整を行う。したがって、偏心カムの回転角度の調整を細かく行うことが可能となり、調整感度を向上させることができる。また、偏心カムの偏心量を大きくして光学部材の変位量（ストローク）を増大させても、調整部材に係合部を変位させる構成によって調整感度の低下を防止でき、微調整可能となる。
【００３３】
また、上記の第１光走査装置の構成において、前記光学部材を、シリンドリカルミラーとした第２光走査装置とすることができる。
【００３４】
この構成によれば、シリンドリカルミラーの他端側を偏心カムで支持し、調整部材によって偏心カムの係合部を押圧することによって、シリンドリカルミラーの他端側が変位する。この結果、走査光の他端側の反射位置が変化して、走査光のＳＫＥＷ補正を行うことができる。この際も上述のように微調整可能となり、シリンドリカルミラーの変位量も大きく確保することができる。
【００３５】
また、上記の第２光走査装置の構成において、前記シリンドリカルミラーの反射面は一端側で２点支持され、他端側で１点支持されると共に、当該シリンドリカルミラーの他端側において前記反射面と略直交する面が前記偏心カムの外周面に支持される第３光走査装置とすることができる。
【００３６】
この構成によれば、シリンドリカルミラーの反射面は、一端側で２点支持されており、他端側で１点支持されている。ここで、シリンドリカルミラーの反射面に略直交する面を偏心カムで支持することによって、偏心かムの回転によってシリンドリカルミラーが反射面と略平行に変位する。この際、シリンドリカルミラーの１点支持側を偏心カムが支持しているため、Ｒ面となっている反射面の中心が変位して、走査光の反射位置が変化する。この結果、走査光の傾斜を良好に調整することができる。
【００３７】
また、上記の第１〜第３光走査装置のいずれかの構成において、複数の光源と、各光源に対応する複数の前記光学部品、前記偏心カムおよび前記調整部材と、を備える光走査装置において、各調整部材の前記係合部に対する当接位置を前記偏心カムの径方向に移動させて調整することによって、各光学部品に対する調整感度を均一にした第４光走査装置とすることができる。
【００３８】
複数の光源に対応する各走査光の光路を同一に構成することはできない。このため、それぞれの光学部材の調整感度（調整部材の操作量に対する走査光の補正量）は微妙に異なる。これらを調整するために、各偏心カムの形状や調整量を調節するのは煩雑である。しかしながら、上記の構成によれば、複数の光源からの各走査光の調整感度に対応して、調整部材の係合部に対する当接位置を偏心カムの径方向に移動させて調整することによって、調整感度を均一にしたものである。この結果、各走査光に対する部材（偏心カム等）を全て共通化することができ、低コストとすることができる。
【００３９】
また、上記の第１〜第４光走査装置のいずれかの構成において、前記調整部材を外部から操作可能とした第５光走査装置とすることができる。
【００４０】
この構成によれば、調整部材を外部から操作可能とすることによって、筐体を開放せずに光学部材を調整して走査光の傾斜を簡単に補正することができる。
【００４１】
上記の第５光走査装置の構成において、前記調整部材は筐体の壁面に螺合されており、調整部材を回動することによって係合部が変位される第６光走査装置とすることができる。
【００４２】
この構成によれば、調整部材が筐体の壁面に螺合されているため、調整部材が回転に伴って進退して係合部を変位させる。したがって、偏心カムの回転量を精度良く制御でき、ＳＫＥＷ補正を良好に行うことができる。また、筐体の壁面に調整部材が螺合しているため、螺合部分から筐体内部に外部の埃等が進入して装置の光学性能を低下させることを防止できる。
【００４３】
また、上記の第６光走査装置の構成において、外側から調整用孔、ガイド孔、ネジ孔がそれぞれ形成された筐体の３個の壁で構成され、前記壁内に前記調整部材が収納されている第７光走査装置とすることができる。
【００４４】
この構成によれば、調整用孔から治具などを挿入することにより、ガイド孔に支持されている調整部材を回動させることによって、ネジ孔に螺合している調整部材を進退させて偏心カムの係合部を変位させる。この結果、所定量の偏心カムが回転し、光学部材の走査光の傾斜補正が精度良く行われる。また、この三つの壁内に調整部材が収納されているため、外部に調整部材が突出することも防止できる。
【００４５】
また、上記の第６又は第７光走査装置の構成において、所定回転量毎に前記調整部材を係止するラッチ機構を備えている第８光走査装置とすることができる。
【００４６】
この構成によれば、所定回転量毎に調整部材を係止するラッチ機構が設けられているため、調整部材の回転量を精度良く調節することができる。この結果、走査光のＳＫＥＷ補正も精度良くできる。
【００４７】
また、上記の第８光走査装置に構成において、前記ラッチ機構は、前記調整部材の外周面において回転方向に所定間隔をおいて形成された凸部と、前記凸部間の凹部に進入して前記調整部材を係止する弾性部材と、を備え、前記弾性部材と対向する位置に前記凹部が位置する毎に当該凹部に弾性部材が進入して前記調整部材を係止する第９光走査装置とすることができる。
【００４８】
この構成によれば、調整部材の外周面には、回転方向に所定間隔をおいて凸部が形成されており、弾性部材の対向する位置に調整部材の凸部間の凹部が位置する毎に弾性部材が凹部に進入して調整部材を係止する。したがって、調整部材は所定回転量毎に係止されることになり、偏心カムの回転量を精度良く制御でき、走査線の補正を精度良く行うことができる。
【００４９】
また、上記の第５〜第９光走査装置のいずれかの構成において、前記調整用孔が形成された前記筐体の壁には、調整部材の回転量を示す目盛りが形成されている第１０光走査装置とすることができる。
【００５０】
この構成によれば、調整用孔が形成された筐体の壁には、調整部材の回転量を示す目盛が形成されているため、目盛を目安として調整部材を精度良く所定量回転させることができる。この結果、走査線の調整を精度良く行うことができる。
【発明の効果】
【００５１】
本発明は、上記構成としたので、ＳＫＥＷ補正において、高精度な調整可能とした低コストの光走査装置を提供することができる。
【発明を実施するための最良の形態】
【００５２】
本発明の一実施形態に係る画像形成装置について、図１〜図１６を参照して説明する。先ず、画像形成装置の全体について概略説明を行い、続いて、光走査装置の説明、さらに要部であるＳＫＥＷ調整機構の説明を行う。なお、図中の番号に添えられるＹ、Ｍ、Ｃ、Ｋの記号は各色の露光を行うレーザービーム及びそのレーザービームの通過する光学部品を示す。
（画像形成装置）
画像形成装置１０は、図２に示すように、光走査装置１４から黒、シアン、マゼンタ、イエローの各記録色のレーザビーム１６Ｍ、１６Ｃ、１６Ｍ、１６Ｙ（以下、１６Ｋ〜１６Ｙという。他の参照番号も同様である）を感光体ドラム１８Ｋ〜１８Ｙに対して出射する構成である。
【００５３】
感光体ドラム１８Ｋ〜１８Ｙでは、レーザービーム１６Ｋ〜１６Ｙによって静電潜像が形成され、レーザービーム１６Ｋ〜１６Ｙによって露光された部分にそれぞれの画像信号に対応する色のトナー像が形成される。
【００５４】
それぞれの感光体ドラム１８Ｋ〜１８Ｙに形成された各トナー像は、4本のローラ２０Ａ〜２０Ｄに架け渡され矢印Ａ方向に定速で搬送される中間転写ベルト２２上で重ね合わせられて転写された後、搬送される用紙２４上に転写される。トナー像が転写された用紙２４は、図示しない定着装置によってトナー像が定着され、図示しない排紙トレイに排出される。
（光走査装置）
次に、この画像形成装置１０に用いられる光走査装置１４について図２〜図４を参照して詳細に説明する。なお、図３は、光走査装置（カバーを除く）の斜視図、図４は光走査装置（カバーを除く）の側面図である。
【００５５】
光走査装置１４は、感光体ドラム１８Ｋ〜１８Ｙに対してレーザビーム１６Ｋ〜１６Ｙを走査露光するために、カバー２５（図２参照）によって外部から遮蔽された光学箱２６内部に光学部品が配置されて構成されている。
【００５６】
すなわち、光走査装置１４は、図示しない画像処理部より出力される黒（Ｍ）、シアン（Ｃ）、マゼンタ（Ｍ）、イエロー（Ｙ）の各記録色情報信号に応じてレーザビーム１６Ｋ〜１６Ｙを偏向器３８に入射して偏向させ、図示しない開口部から感光体ドラム１８Ｋ〜１８Ｙに対して露光可能なように光学箱２６に光学部品を配置したものである。構成の詳細をレーザビーム１６Ｍの光路に沿って説明する。
【００５７】
レーザ光源２８Ｍから照射されたレーザビーム１６Ｍは、コリメータレンズ３０Ｍを透過してゆるい発散光にされ、シリンダーレンズ３２Ｍを透過して、ミラー３６ＹＭによって反射され、偏向装置である回転多面鏡３８に副走査方向に絞られて入射する。回転多面鏡３８によって反射されたレーザビーム１６Ｍは結像光学系であるｆθレンズ４０ＹＭを透過し、ミラー４２Ｍ、シリンドリカルミラー４４Ｍ、ミラー４６Ｍで反射されて感光体ドラム１８Ｍを露光する。シリンドリカルミラー４４Ｍの反射面は、副走査方向にＲ面を構成し、回転多面鏡３８の面倒れが生じても、副走査方向への走査線ずれが生じない働きをする。ＳＯＳセンサー４８Ｍ（図３参照）は、感光体ドラム１８Ｍに対して略等価の位置に配置され、レーザ光源２８Ｍの照射開始タイミングの基準とするものであり、レーザビーム１６ＭによってＳＯＳセンサー４８Ｍが検知してから所定のクロック数又は時間を制御することによって主走査方向の画像書き出しを調整する。
【００５８】
なお、レーザビーム１６Ｙの光路上には、シリンダーレンズ３２Ｙとミラー３６ＹＭの間にミラー３４Ｙが挿入されている。レーザビーム１６Ｋの光路上にも同様の配置がなされている。
【００５９】
このようにトナー画像を重ねるタンデム構成の画像形成装置（光走査装置）において、特に問題になるのが色ずれである。その色ずれの種類を図５（Ａ）〜（Ｆ）に示す。各図において実線が本来形成されるべき画像（直線）位置であり、二点鎖線が実際にずれて形成された画像位置を示したものである。
【００６０】
各図に示した色ずれのうち、電気制御で微調整して解消することが困難な色ずれは、トップマージン、ＳＫＥＷ、ＢＯＷである。本実施形態では、このＳＫＥＷおよびＢＯＷを機械的構成によって調整可能としたものである。先ず、ＳＫＥＷ調整機構から説明する。
（ＳＫＥＷ調整機構）
ＳＫＥＷ調整機構は、シリンドリカルミラー４４Ｋ〜４４Ｙにそれぞれ設けられているものである。各ＳＫＥＷ調整機構は、それぞれ同等の構成なので、代表してシリンドリカルミラー４４Ｍに設けられたＳＫＥＷ調整機構５０について説明する。
【００６１】
ＳＫＥＷ調整機構５０によって調整されるシリンドリカルミラー４４Ｍは、図１に示すように、反射面５２の長手（主走査）方向一端側を筐体２６のブラケット５４Ａで１点支持され、他端側をブラケット５４Ｂで２点支持されている。
【００６２】
また、シリンドリカルミラー４４Ｍの底面５３は、ブラケット５４Ａで一点支持された側を偏心カム５６が支持し、ブラケット５４Ｂで２点支持された側をブラケット５８が支持している。
【００６３】
なお、シリンドリカルミラー４４Ｍにおいて、ブラケット５４Ａ、５４Ｂ、５８および偏心カム５６が当接する面と対向する面はスプリング６０によって押圧されており、各ブラケット５４Ａ、５４Ｂ、５８および偏心カム５６にシリンドリカルミラー４４Ｍが押し付けられている。
【００６４】
偏心カム５６は、図６に示すように、側面視において、外周面が円形である当接部６２と、当接部６２に対して偏心している回転軸６４と、当接部６２の外周面から径方向に突出形成されているアーム部６６とから形成されている。回転軸６４は、当接部６２の中心から偏心量（距離）ｅだけ偏心しているため、スプリング６０によって常時下向き（時計回り）に付勢されており、アーム部６６が後述する調整部材６８のスクリュー部７０に押し付けられている。
【００６５】
したがって、調整部材６８が矢印Ｄ方向に進退することによってアーム部６６（偏心カム５６）が回転し、当接部６２の外周面に支持されたシリンドリカルミラー４４Ｍの一端側が矢印Ｂ方向に上下動することによって、反射面５２で反射される走査光の傾斜を補正する構成である。
【００６６】
偏心カム５６のアーム部６６を変位させる調整部材６８は、図１および図７に示すように、一部にネジが形成されている棒状のスクリュー部７０と、後述するラッチ用のギヤ７２と、操作用の溝９０が設けられた操作部７４とから基本的に形成されている。
【００６７】
図７に示すように、調整部材６８が取り付けられる光学箱２６には、底面２６Ａの側面２６Ｂ側に凹部７６が形成されており、凹部７６に突出形成された支持板７８のガイド孔８０に調整部材６８のスクリュー部７０が挿通されると共に、底面２６Ａに連続する側壁２６Ｃのネジ孔８２に螺合されている。したがって、調整部材６８を回動することによって、スクリュー部７０が側壁２６Ｃに対して矢印Ｄ方向に進退してスクリュー部７０に押し付けられているアーム部６６を時計回り、あるいは反時計回りに回動させる構成である。
【００６８】
なお、側壁２６Ｃに対してスクリュー部７０が螺合しているため、側壁２６Ｃにネジ孔８２が形成されても光学箱２６の内部の遮蔽性が維持され、外部の埃などによって光走査装置１４の光学性能が劣化することを確実に防止できる。
【００６９】
一方、凹部７６において支持板７８と側面２６Ｂの間には、図７に示すように、調整部材６８のギヤ７２が配設されている。調整部材６８のギヤ７２に対向する位置には、図１および図８に示すように、ラッチ用の板ばね８４が配設されている（図７、図示省略）。板ばね８４の先端には半球形の凸部８６が形成されており、弾性力によってギヤ７２の凹部８８に進入する構成とされている。すなわち、調整部材６８（ギヤ７２）が所定角度回転する度に凸部８６が凹部８８に進入して調整部材６８の回転量を規制する構成である。
【００７０】
また、調整部材６８においてスクリュー部７０と反対側に形成された操作部７４には、径方向に延在する溝９０が形成されており、光学箱２６の側面２６Ｂに設けられた操作孔９２（図３、図４、図７参照）から凹部７６に図示しない治具を進入させて操作部７４の溝９０に挿入し、調整部材６８を回転させることによって側壁２６Ｃに螺合されているスクリュー部７０を矢印Ｄ方向に進退させ、スクリュー部７０に押し付けられているアーム部６６を回転させる構成である。
【００７１】
なお、光学箱２６の側面２６Ｂの操作孔９２の周囲には、図４に示すように、目盛９４が形成されており、調整部材６８の回転量がわかるようにされている。
【００７２】
このように構成された画像形成装置１０では、以下のようにしてシリンドリカルミラー４４ＭのＳＫＥＷ補正を行う。
【００７３】
先ず、オペレータが光学箱２６の操作孔９２から治具を挿入して調整部材６８の操作部７４の溝９０に進入させる。この状態で治具によって調整部材６８を回動させる。この際、調整部材６８のギヤ７２の凹部８８には、板ばね８４の凸部８６が弾性的に進入しているため、凹部８８が凸部８６の対向する位置にくる度に凸部８６が凹部８８に進入してギヤ７２を係止する。したがって、一定量（一定角度）の回転毎に調整部材６８が係止（ラッチ）されることになり、回転量を正確に調整することができる。
【００７４】
このようにして調整部材６８が所定量回転されることによって、光学箱２６の側壁２６Ｃのネジ孔８２に螺合されているスクリュー部７０（調整部材６８）が矢印Ｄ方向に進退する。この結果、スプリング６０によってスクリュー部７０に押し付けられているアーム部６６が変位する。すなわち、偏心カム５６が回転して当接部６２の外周面が支持しているシリンドリカルミラー４４Ｍの一端が矢印Ｂ方向に上下動する。
【００７５】
この結果、図９に示すように、シリンドリカルミラー４４Ｍの一端が矢印Ｂ方向に移動することによって、シリンドリカルミラー４４Ｍの反射面５２で反射される走査線の位置が調整され、ＳＫＥＷ（傾斜）していた走査線（二点鎖線）が目標走査線位置（実線）に補正される。
【００７６】
特に、本実施形態では、図１に示すように、ブラケット５４Ａによって１点支持された側のシリンドリカルミラー４４Ｍの底面５３を偏心カム５６によって変位させる構成としたため、良好にＳＫＥＷ補正できる。これをブラケット５４Ｂによって２点支持された側との比較において説明する。
【００７７】
先ず、ブラケット５４Ｂによって２点支持された側のシリンドリカルミラー４４Ｍの底面５３を偏心カム５６で変位させる構成とした場合には、図１０（Ｂ）に示すように、スプリング６０で押圧されているシリンドリカルミラー４４Ｍの反射面（Ｒ面）５２をブラケット５４Ｂが２点支持しているため、偏心カム５６の回転による押圧によって、シリンドリカルミラー４４Ｍは反射面５２の湾曲した面に沿って矢印Ｅ方向に回転移動を生じてしまう。この結果、反射面（Ｒ面）５２の中心位置Ｃが移動せず、反射面５２における走査光の反射角度は変化しない。したがって、偏心カム５６の回転によって走査光のＳＫＥＷ補正を良好に行うことはできない。
【００７８】
これに対して、ブラケット５４Ａによって１点支持された側のシリンドリカルミラー４４Ｍの底面を偏心カム５６で変位させる構成とした場合には、図１０（Ａ）に示すように、ブラケット５４Ａとスプリング６０で挟持されているシリンドリカルミラー４４Ｍが上方に平行移動する（矢印Ｆ方向）。この結果、反射面（Ｒ面）５２の中心Ｃも中心Ｃ´移動することになり、図１０（Ａ）に示すように、走査光の反射位置が変化することになり、良好にＳＫＥＷ補正することができる。
【００７９】
ところで、偏心カム５６は当接部６２の外周面が側面視において円弧で構成されている。ここで、シリンドリカルミラー４４Ｍの矢印Ｂ方向の変位量Ｙと、偏心カム５６の回転量θとの関係を図１１に示す。本実施形態では、手動で偏心カム５６（調整部材６８）を回転させるため、線形性を有する部分のみを使用している。図１１では、θが１８０°あるいは３６０°近傍の所定範囲のみである。
【００８０】
ここで、偏心カム５６の移動ストローク量（変位量Ｙ）の増加を図る場合には、偏心カム５６の偏心量ｅを増大させることが行われる。この場合には、図１１における線形性を有する部分の傾きが増加して、微調整が困難になってしまう（補正感度が低下する）。
【００８１】
しかしながら、本実施形態では、図６に示すように、偏心カム５６の当接部６２の外周面から径方向に突出形成されたアーム部６６を設け、調整部材６８のスクリュー部７０にアーム部６６を変位させることによって偏心カム５６の回転量を調整する構成としたため、当接部６２をスクリュー部７０によって押圧される場合と比較して偏心カム５６の回転量を微調整することが容易かつ確実にできる。したがって、偏心カム５６の偏心量ｅを増大させても、精度良く微調整可能である。
【００８２】
なお、偏心カム５６は、図１２に示すように、側面視において外周面がＲの大きい円弧状である当接部９６と、当接部９６の一部を切り欠いた切欠部９８とを備え、切欠部９８に調整部材６８を当接させる構成としてもよい。ただし、このような形状とした場合には、偏心カム５６が大型化するという不都合がある。
【００８３】
なお、上記説明において、ＳＫＥＷ調整機構５０は、シリンドリカルミラーに適用した例について説明したが、図１３に示すように、反射面がフラットなミラー４６Ｍに適用することも可能である。この場合には、ミラー４６Ｍの反射面１０２に対して長手方向一端側でブラケット１０４で２点支持され、他端側で偏心カム５６によって１点支持される構成である。なお、ミラー４６Ｍにおいてブラケット１０４および偏心カム５６に対向する位置には、スプリング６０が配設されている。このように構成されることによって、偏心カム５６の回転によって、ミラー４６Ｍが他端側で矢印Ｇ方向に移動して走査光の反射位置を変化させてＳＫＥＷ補正を行う。
【００８４】
また、図１４に示すように、同様にしてシリンドリカルミラー４４Ｍの反射面５２を偏心カム５６で支持する構成も可能である。さらに、シリンドリカルレンズに対して同様の構成をとることにより、同様の効果が得られるのは言うまでもない。但し、図１３および図１４に示す構成では、ＳＫＥＷ補正をした場合、走査線の書き出し側と書き終え側とで光路長の差が著しく発生し、左右倍率差による色ずれが発生してしまう。
【００８５】
したがって、本実施形態のように、シリンドリカルミラー４４Ｍの反射面５２と略直交する底面５３の１点支持側を偏心カム５６によって変位させることによってＳＫＥＷ補正する構成の方が、走査光の光路長の変化が抑制されるので一層好適である。
【００８６】
ところで、ＳＫＥＷ補正の調整感度（調整部材の操作量に対する走査光の補正量）は、シリンドリカルミラーのＲ面差、レーザビームの入射角度差等で決まるが、一つの光学箱２６に共通の４色（ＹＭＣＫ）の光学レイアウトをすることは困難で、調整感度が異なってしまう。従来技術では、制御する際、各色ごとに補正係数を変更していた。また、補正係数を共通にする場合には、偏心カムを回転させるギア比を各色ごとに変更していた。いずれにしても、複数の部品が発生してしまっていた。
【００８７】
これに対して本実施形態のＳＫＥＷ調整機構５０は、偏心カム５６のアーム部６６に対して調整部材６８のスクリュー部７０の当接位置を偏心カム５６の径方向に変化させることで４色（ＹＭＣＫ）の調整感度を共通にすることが容易に可能である。したがって、部品を共通化させることができ、コスト削減することが可能である。
【００８８】
なお、色ずれの補正基準は、絶対値０又はある基準の色に合わせてもよい。また、このＳＫＥＷ補正機構５０は、トップマージンの調整にも適用可能である。
（ＢＯＷ調整機構）
次に、ＢＯＷ調整機構について図１５、図１６を参照して説明する。図１５は、ＢＯＷ調整機構の斜視図であり、図１６は、その正面図である。
【００８９】
ミラー４６Ｍの反射面１１０の両端部は、ブラケット１１２Ａ、１１２Ｂでそれぞれ１点と２点で支持されている。ブラケット１１２Ｂは、基台１１４上に取り付けられており、基台１１４の傾斜面１１４Ａに略平行にアングル部材１１６が配設されている。アングル部材１１６の傾斜面１１６Ａに半球形の凸部１１８が形成されており、当該凸部１１８がミラー４６Ｍの反射面１１０と対向する面を支持している。
【００９０】
なお、アングル部材１１６の傾斜面１１６Ａには、ネジ孔１２０に螺入された調整ネジ１２２に調整ナット１２４が締め付けられている。したがって、調整ナット１２４を回転させることによって、傾斜面１１６Ａと基台１１４の傾斜面１１４Ａとの距離が調整され、ブラケット１１２Ｂに２点支持された反射面１１０と対向する面に対する凸部１１８の押圧量が増減する。これによって、ブラケット１１２Ｂによって２点支持されたミラー４６Ｍの曲げ量が変化して、走査線のＢＯＷ調整を行うことができる。
【００９１】
偏心カムの外周面から径方向に突出形成されたアーム部を調整部材によって変位させることによってＳＫＥＷ補正を行うため、偏心カムの微小角度の調整が可能となり、偏心量を大きくしてストロークを確保しても、高精度にＳＫＥＷ補正ができる。また、複雑な制御および装置を使わずに高精度に補正ができるので、低コストな光走査装置が提供できる。
【図面の簡単な説明】
【００９２】
【図１】本発明の一実施形態に係るＳＫＥＷ調整機構の概略構成を示す斜視図である。
【図２】本発明の一実施形態に係るカラー画像形成装置の概略側面図である。
【図３】本発明の一実施形態に係る光走査装置の概略斜視図である。
【図４】本発明の一実施形態に係る光走査装置を収納した光学箱の側面図である。
【図５】（Ａ）〜（Ｆ）は、各種の色ずれ状態を示した説明図である。
【図６】本発明の一実施形態に係るＳＫＥＷ調整の要部説明図である。
【図７】本発明の一実施形態に係るＳＫＥＷ調整の光学箱に対する取付状態説明図である。
【図８】本発明の一実施形態に係るＳＫＥＷ調整のラッチ機構説明図である。
【図９】ＳＫＥＷ補正の原理を簡単に示した説明図である。
【図１０】（Ａ）はシリンドリカルミラーの１点支持側を偏心カムによって変位させた場合の調整状態説明図であり、（Ｂ）はシリンドリカルミラーの２点支持側を偏心カムによって変位させた場合の調整状態説明図である。
【図１１】偏心カムの回転量θと光学部材の変位量Ｙとの関係を示した図である。
【図１２】本発明の他の例に係るＳＫＥＷ調整機構の概略説明図である。
【図１３】本発明の一実施形態に係るＳＫＥＷ調整機構をフラットミラーに適用した例の斜視図である。
【図１４】本発明の一実施形態に係るＳＫＥＷ調整機構でシリンドリカルミラーの反射面を変位させるように構成した例の斜視図である。
【図１５】本発明の一実施形態に係るＢＯＷ調整機構の斜視図である。
【図１６】本発明の一実施形態に係るＢＯＷ調整機構の側面図である。
【符号の説明】
【００９３】
１４…光走査装置
１８…感光体ドラム（被走査体）
２６…光学箱（筐体）
３８…回転多面鏡
４４…シリンドリカルミラー（光学部品）
４６…ミラー（光学部品）
５６…偏心カム
６６…アーム部（係合部）
６８…調整部材
【図１】
2006259749.tif 000003
【図２】
2006259749.tif 000004
【図３】
2006259749.tif 000005
【図４】
2006259749.tif 000006
【図５】
2006259749.tif 000007
【図６】
2006259749.tif 000008
【図７】
2006259749.tif 000009
【図８】
2006259749.tif 000010
【図９】
2006259749.tif 000011
【図１０】
2006259749.tif 000012
【図１１】
2006259749.tif 000013
【図１２】
2006259749.tif 000014
【図１３】
2006259749.tif 000015
【図１４】
2006259749.tif 000016
【図１５】
2006259749.tif 000017
【図１６】
2006259749.tif 000018